(57)【要約】  移動局が基地局とコネクションが確立されていない第１状態と、いずれかの基地局とコネクションが確立されている第２状態とで動作するセルラ方式の移動通信システムにおいて、移動局のセル再選択のための基準とハンドオーバのための基準が整合していないセルが特定される。移動局は、第１状態においてセル再選択のための第１基準に従って行われるセルの選択履歴を含むセル選択履歴を、第２状態においてハンドオーバのための第２基準に従って第１セルから第２セルへハンドオーバする場合に、上記セル選択履歴を第２セルの基地局へ送信する。第２セルの基地局は、送信されたセル選択履歴を参照し、移動局が第１状態から第２状態へ遷移後の所定期間内に第１セルから第２セルへハンドオーバされたと判断した場合に、セル選択履歴に基づいて、第１セルおよび第２セルのうち第１基準と第２基準が整合していないセルを特定する。
2012059954.tif 000002
【特許請求の範囲】
【請求項１】
移動局とセルを形成する基地局とを含み、移動局が基地局とコネクションが確立されていない第１状態と、いずれかの基地局とコネクションが確立されている第２状態とで動作するセルラ方式の移動通信システムにおけるセル特定方法であって、
移動局は、第１状態においてセル再選択のための第１基準に従って行われるセルの選択履歴を含むセル選択履歴を記憶し、
移動局は、第２状態においてハンドオーバのための第２基準に従って第１セルから第２セルへハンドオーバする場合に、前記セル選択履歴を第２セルの基地局へ送信し、
前記第２セルの基地局は、送信された前記セル選択履歴を参照し、前記移動局が第１状態から第２状態へ遷移後の所定期間内に第１セルから第２セルへハンドオーバされたと判断した場合に、前記セル選択履歴に基づいて、第１セルおよび第２セルのうち前記第１基準と前記第２基準が整合していないセルを特定する、
ことを含むセル特定方法。
【請求項２】
移動局とセルを形成する基地局とを含み、移動局が基地局とコネクションが確立されていない第１状態と、いずれかの基地局とコネクションが確立されている第２状態とで動作するセルラ方式の移動通信システムにおけるセル特定方法であって、
移動局は、第１状態においてセル再選択のための第１基準に従って行われるセルの選択履歴を含むセル選択履歴を記憶し、
移動局は、第２状態においてハンドオーバのための第２基準に従って第１セルから第２セルへハンドオーバする場合に、前記セル選択履歴を参照し、前記移動局が第１状態から第２状態へ遷移後の所定期間内に第１セルから第２セルへハンドオーバされたと判断した場合に、前記セル選択履歴に基づいて、第１セルおよび第２セルのうち前記第１基準と前記第２基準が整合していないセルを特定し、
移動局は、特定したセルを第２セルの基地局へ通知する、
ことを含むセル特定方法。
【請求項３】
前記基地局は、
所定期間の間に、第１セルおよび第２セルのうち前記第１基準と前記第２基準が整合していないセルとして第１セルを特定した回数である第１の値、または、第２セルを特定した回数である第２の値、を算出し、
前記所定期間の間に、第１セルから第２セルへ移動した第１状態の移動局の数または、第２セルから第１セルへ移動した第１状態の移動局の数である第３の値を算出し、
前記第３の値に対する前記第１の値または前記第２の値の比率に基づいて、第１セルおよび第２セルのうち、特定前記所定期間の間に前記第１基準と前記第２基準が整合していないセルを特定する、
ことをさらに含む、請求項１に記載されたセル特定方法。
【請求項４】
前記基地局は、
自局を含むページングエリア内における第１状態の移動局の総数と第２状態の移動局の総数の比率と、前記所定期間の間に第１セルから第２セルへハンドオーバした移動局の数、または、第２セルから第１セルへハンドオーバした移動局の数、とに基づいて、前記第３の値を算出する、
請求項３に記載されたセル特定方法。
【請求項５】
前記基地局は、
前記第１の値または前記第２の値が所定の閾値を超える場合に、自局の配下の移動局に対して、前記セル選択履歴を自局宛に送信するように指示し、
前記所定期間の値に移動局から受信したセル選択履歴に基づいて、前記第３の値を算出する、
請求項３に記載されたセル特定方法。
【請求項６】
移動局が基地局とコネクションが確立されていない第１状態と、いずれかの基地局とコネクションが確立されている第２状態とで動作するセルラ方式の移動通信システムにおける基地局であって、
第１状態においてセル再選択のための第１基準に従って行われる移動局によるセルの選択履歴を含むセル選択履歴を、当該移動局が第２状態においてハンドオーバのための第２基準に従って第１セルから自局の第２セルへハンドオーバする場合に、移動局から前記セル選択履歴を受信する受信部と、
受信部により受信された前記セル選択履歴を参照し、前記移動局が第１状態から第２状態へ遷移後の所定期間内に第１セルから第２セルへハンドオーバされたと判断した場合に、前記セル選択履歴に基づいて、第１セルおよび第２セルのうち前記第１基準と前記第２基準が整合していないセルを特定する特定部と、
備えた基地局。
【請求項７】
前記特定部は、
所定期間の間に、第１セルおよび第２セルのうち前記第１基準と前記第２基準が整合していないセルとして第１セルを特定した回数である第１の値、または、第２セルを特定した回数である第２の値、を算出し、
前記所定期間の間に、第１セルから第２セルへ移動した第１状態の移動局の数または、第２セルから第１セルへ移動した第１状態の移動局の数である第３の値を算出し、
前記第３の値に対する前記第１の値または前記第２の値の比率に基づいて、第１セルおよび第２セルのうち、特定前記所定期間の間に前記第１基準と前記第２基準が整合していないセルを特定する、
請求項６に記載された基地局。
【請求項８】
前記特定部は、
自局を含むページングエリア内における第１状態の移動局の総数と第２状態の移動局の総数の比率と、前記所定期間の間に第１セルから第２セルへハンドオーバした移動局の数、または、第２セルから第１セルへハンドオーバした移動局の数、とに基づいて、前記第３の値を算出する、
請求項７に記載された基地局。
【請求項９】
前記特定部は、
前記第１の値または前記第２の値が所定の閾値を超える場合に、自局の配下の移動局に対して、前記セル選択履歴を自局宛に送信するように指示し、
前記所定期間の値に移動局から受信したセル選択履歴に基づいて、前記第３の値を算出する、
請求項７に記載された基地局。
【請求項１０】
移動局が基地局とコネクションが確立されていない第１状態と、いずれかの基地局とコネクションが確立されている第２状態とで動作するセルラ方式の移動通信システムにおける移動局であって、
第１状態においてセル再選択のための第１基準に従って行われるセルの選択履歴を含むセル選択履歴を記憶する記憶部と、
第２状態においてハンドオーバのための第２基準に従って第１セルから第２セルへハンドオーバする場合に、前記セル選択履歴を参照し、自局が第１状態から第２状態へ遷移後の所定期間内に第１セルから第２セルへハンドオーバされたと判断した場合に、前記セル選択履歴に基づいて、第１セルおよび第２セルのうち前記第１基準と前記第２基準が整合していないセルを特定する特定部と、
特定したセルを第２セルの基地局へ通知する送信部と、
を備えた移動局。
【発明の詳細な説明】
【技術分野】
【０００１】
本発明は、移動通信システムにおける移動局のセル間のハンドオーバおよびセル再選択の技術に関する。
【背景技術】
【０００２】
３ＧＰＰ (Third Generation Partnership Project)で標準化している次世代の移動体通信方式であるＬＴＥ(Long
Term Evolution)では、移動局(UE：User Equipment)は、アクティブ状態またはアイドル状態で動作する。アクティブ状態（Active state；Connected stateとも言う。）の移動局は、ハンドオーバ基準（Handover Criteria; HO Criteria）に従い、移動先のセルを選択し、移動する。一方、アイドル状態(idle state； idle mode，待ち受け状態／モード，省電力状態／モードともいう。）の移動局は、セル再選択基準 (Cell Reselection Criteria; CRS Criteria)に従い、移動先のセルを選択し、移動する。この移動する処理をセル再選択 (Cell Reselection)という。【０００３】
移動局は、基本的には、サービングセル（Serving Cell；「在圏セル」ともいう。）、およびサービングセルの隣接セル（Neighbor(ing) Cell；「ネイバーセル」ともいう。）からの電波の受信電力若しくは受信品質を測定し、サービングセルからターゲットセルへ移動する。移動局の受信電力若しくは受信品質の測定結果は、ハンドオーバ基準およびセル再選択基準に基づいて判定され、移動局の移動先のセル（Target Cell；ターゲットセル）が選択される。ハンドオーバ基準とセル再選択基準とでは、判定に当たって測定すべき受信電力／受信品質の種類、式の構造、式を構成するパラメータの種類が異なっているが、概ね、以下の式（１）を満足するときに、ターゲットセルへの移動が行われる。【０００４】
ＰTarget cell＞ＰServing cell + HO_Margin  …（１）【０００５】
なお、式（１）において、ＰTarget cellは、ターゲットセルからの参照信号に基づく受信電力若しくは受信品質の指標値であり、ＰServing cell は、サービングセルからの参照信号に基づく受信電力若しくは受信品質の指標値である。HO_Marginは、所定のマージンである。なお、ハンドオーバ基準とセル再選択基準で、HO_Marginを構成するパラメータの種類は異なっている。また、それぞれの基準を構成するパラメータが、ハンドオーバ基準、または、セル再選択基準によって形成されるセルの範囲（カバレッジ）に対して、どの程度の影響を与えるかについては、実際に適用される無線環境によって異なる。そのため、ハンドオーバ基準、および、セル再選択基準にしたがってセルの運用を開始した場合に、実際に適用される無線環境では、ハンドオーバ基準によって画定されるカバレッジとセル再選択基準によって画定されるカバレッジとが一致していない可能性がある。以下の説明では、ハンドオーバ基準およびセル再選択基準によって画定されるカバレッジが一致していない状態を、「整合していない」（“not aligned”という。）状態と表記する。また、整合していないセルを「不整合セル」という。【０００６】
図１は、互いに隣接する基地局Ａ，Ｂ，ＣがそれぞれセルＡ，Ｂ，Ｃを形成し、基地局Ａ，Ｂ，Ｃのうち基地局Ａが不整合セルである場合を示す図であり、（ａ）はハンドオーバ基準(ＨＯ基準)でのカバレッジを、（ｂ）セル再選択基準(ＣＲＳ基準)でのカバレッジをそれぞれ示す。図１に示すように、基地局Ａは不整合セルであるため、ハンドオーバ基準でのカバレッジとセル再選択基準でのカバレッジの大きさが異なっている。
図１において、セルＡ配下にいたアイドル状態の移動局（UE(P1)）が、図１に示すように、セルＡからセルＢに向かって移動している状況を想定する。この状況において、セルＡとセルＢの境界でアイドル状態からアクティブ状態に遷移し、セル再選択基準に従い電波を受信しているセル（セルＡ）に接続する（UE(P2)）。そして、セルＡとコネクション確立直後にハンドオーバ基準に従い、別のセル（セルＢ）へハンドオーバする場合（UE(P3)）が考えられる。つまり、仮に基地局Ａが整合していたならば、移動局がアクティブ状態に遷移した後にセルＡに接続し、位置を変更しない限りセルＡへの接続を継続していたはずであるが、基地局Ａが整合していないために、上述した無駄なハンドオーバが生じる可能性がある。【０００７】
図２は、互いに隣接する基地局Ａ，Ｂ，ＣがそれぞれセルＡ，Ｂ，Ｃを形成し、基地局Ａ，Ｂ，Ｃのうち基地局Ｂが不整合セルである場合を示す図であり、（ａ）はハンドオーバ基準(ＨＯ基準)でのカバレッジを、（ｂ）セル再選択基準(ＣＲＳ基準)でのカバレッジをそれぞれ示す。図２に示すように、基地局Ｂは不整合セルであるため、ハンドオーバ基準でのカバレッジとセル再選択基準でのカバレッジの大きさが異なっている。
図２において、セルＢ配下にいたアイドル状態の移動局（UE(P1)）が、セルＢからセルＡに向かって移動している状況を想定する。この状況において、セル再選択基準でセルＡ配下に移動した直後に（UE(P2)）、アイドル状態からアクティブ状態に遷移し（UE(P3)）、セル（セルＡ）とコネクションを確立する。そしてその直後に、ハンドオーバ基準に従い、別のセル（セルＢ）へハンドオーバする場合（UE(P4)）が考えられる。つまり、仮に基地局Bが整合していたならば、移動局がアクティブ状態に遷移した後にセルＡに接続し、位置を変更しない限りセルＡへの接続を継続していたはずであるが、基地局Ｂが整合していないために、上述した無駄なハンドオーバが生じる可能性がある。【０００８】
図３は、互いに隣接する基地局Ａ，Ｂ，ＣがそれぞれセルＡ，Ｂ，Ｃを形成し、不整合セルがない場合を示す図であり、（ａ）はハンドオーバ基準(ＨＯ基準)でのカバレッジを、（ｂ）セル再選択基準(ＣＲＳ基準)でのカバレッジをそれぞれ示す。図３では、各セルにおいて、ハンドオーバ基準およびセル再選択基準によって画定されるカバレッジが一致している。この場合には、移動局がアイドル状態からアクティブ状態に遷移直後に無駄なハンドオーバが発生することはない。【０００９】
現在、３ＧＰＰでは、上記のハンドオーバ基準およびセル再選択基準の構成パラメータに限らず、各種パラメータの自動最適化を図るＳＯＮ（Self-Optimization Network）の標準化を行っている。そのＳＯＮのUse Caseの一つであるＭＲＯ（Mobility Robustness Optimization）では、ハンドオーバ基準およびセル再選択基準を構成する各パラメータを最適化することによって各基準を整合させ、無駄なハンドオーバの発生を削減すべきであるとの課題が開示されている。
【先行技術文献】
【非特許文献】
【００１０】
【非特許文献１】3GPP TR 36.902 “Evolved Universal Terrestrial Radio Access Network (E-UTRAN);Self-configuring and self-optimizing network (SON) use cases and solutions”
【発明の概要】
【発明が解決しようとする課題】
【００１１】
しかしながら、移動局がアイドル状態からアクティブ状態に遷移して、例えばセルＡに接続直後に、別のセルＢへハンドオーバしたとき、この現象だけでは、ハンドオーバ元のセルとハンドオーバ先のセルの、いずれのセルが不整合セルであるか分からない。【００１２】
これは以下の理由による。アイドル状態の移動局は、セル間を移動する際、アクティブ状態の移動局と異なり、基地局との間で、ハンドオーバ制御メッセージ等のメッセージを基地局との間で送受信せずに自律的に移動する。つまり、アイドル状態の移動局は、基地局からの信号はモニタするが、基地局に対して応答信号を送信することはないので、基地局は、アイドル状態の移動局で選択されているセルを把握することができない。そのため、基地局は、アクティブ状態に遷移した移動局とコネクションが確立された後、その移動局がアイドル状態であったときからの経緯が分からないと、ハンドオーバ元のセルとハンドオーバ先のセルの、どちらのセルが不整合セルであるか分からない。図１および図２の例で言えば、移動局は両方の例においてセルＢにハンドオーバされているが、セルＢの基地局Ｂでは、セルＡに接続直後にセルＢへハンドオーバしたという事実を認識できるに過ぎず、図１または図２のいずれかの状況（経緯）であったかを判別することができない。【００１３】
ハンドオーバ元のセルとハンドオーバ先のセルの、いずれのセルが不整合セルであるか分からないと、どちらのセルのパラメータを最適化すべきか（すなわち、不整合を是正すべきか）分からないという点が問題である。【００１４】
よって、発明の１つの側面では、移動局のセル再選択のための基準とハンドオーバのための基準が整合していないセルを特定することを可能とするセル特定方法、基地局、移動局を提供することを目的とする。
【課題を解決するための手段】
【００１５】
第１の観点では、移動局とセルを形成する基地局とを含み、移動局が基地局とコネクションが確立されていない第１状態と、いずれかの基地局とコネクションが確立されている第２状態とで動作するセルラ方式の移動通信システムにおけるセル特定方法が提供される。
このセル特定方法は、
移動局は、第１状態においてセル再選択のための第１基準に従って行われるセルの選択履歴を含むセル選択履歴を記憶すること；
移動局は、第２状態においてハンドオーバのための第２基準に従って第１セルから第２セルへハンドオーバする場合に、セル選択履歴を第２セルの基地局へ送信すること；
第２セルの基地局は、送信されたセル選択履歴を参照し、移動局が第１状態から第２状態へ遷移後の所定期間内に第１セルから第２セルへハンドオーバされたと判断した場合に、セル選択履歴に基づいて、第１セルおよび第２セルのうち第１基準と第２基準が整合していないセルを特定すること；
を含む。【００１６】
第２の観点では、移動局とセルを形成する基地局とを含み、移動局が基地局とコネクションが確立されていない第１状態と、いずれかの基地局とコネクションが確立されている第２状態とで動作するセルラ方式の移動通信システムにおける他のセル特定方法が提供される。
このセル特定方法は、
移動局は、第１状態においてセル再選択のための第１基準に従って行われるセルの選択履歴を含むセル選択履歴を記憶すること；
移動局は、第２状態においてハンドオーバのための第２基準に従って第１セルから第２セルへハンドオーバする場合に、セル選択履歴を参照し、移動局が第１状態から第２状態へ遷移後の所定期間内に第１セルから第２セルへハンドオーバされたと判断した場合に、セル選択履歴に基づいて、第１セルおよび第２セルのうち第１基準と第２基準が整合していないセルを特定すること；
移動局は、特定したセルを第２セルの基地局へ通知すること；
を含む。【００１７】
第３の観点では、移動局が基地局とコネクションが確立されていない第１状態と、いずれかの基地局とコネクションが確立されている第２状態とで動作するセルラ方式の移動通信システムにおける基地局が提供される。
この基地局は、
第１状態においてセル再選択のための第１基準に従って行われる移動局によるセルの選択履歴を含むセル選択履歴を、当該移動局が第２状態においてハンドオーバのための第２基準に従って第１セルから自局の第２セルへハンドオーバする場合に、移動局から前記セル選択履歴を受信する受信部；
受信部により受信されたセル選択履歴を参照し、移動局が第１状態から第２状態へ遷移後の所定期間内に第１セルから第２セルへハンドオーバされたと判断した場合に、セル選択履歴に基づいて、第１セルおよび第２セルのうち第１基準と第２基準が整合していないセルを特定する特定部；
を備える。【００１８】
第４の観点では、移動局が基地局とコネクションが確立されていない第１状態と、いずれかの基地局とコネクションが確立されている第２状態とで動作するセルラ方式の移動通信システムにおける移動局が提供される。
この移動局は、
第１状態においてセル再選択のための第１基準に従って行われるセルの選択履歴を含むセル選択履歴を記憶する記憶部；
第２状態においてハンドオーバのための第２基準に従って第１セルから第２セルへハンドオーバする場合に、セル選択履歴を参照し、自局が第１状態から第２状態へ遷移後の所定期間内に第１セルから第２セルへハンドオーバされたと判断した場合に、セル選択履歴に基づいて、第１セルおよび第２セルのうち第１基準と第２基準が整合していないセルを特定する特定部；
特定したセルを第２セルの基地局へ通知する送信部；
を備える。
【発明の効果】
【００１９】
開示のセル特定方法、基地局、移動局によれば、移動局のセル再選択のための基準とハンドオーバのための基準が整合していないセルを特定することができる。
【図面の簡単な説明】
【００２０】
【図１】不整合セルを含む移動通信システムの例を説明するための図。
【図２】不整合セルを含む移動通信システムの例を説明するための図。
【図３】不整合セルを含まない移動通信システムの例を説明するための図。
【図４】第１の実施形態の基地局の概略構成を示すブロック図。
【図５】第１の実施形態の移動局の概略構成を示すブロック図。
【図６】第１の実施形態の移動通信システムの動作を示すフロー図。
【図７】第１の実施形態の移動通信システムの動作を示すフロー図。
【図８】第１の実施形態の基地局においてセル選択履歴に応じた不整合セルの特定方法を説明するための図。
【図９】第１の実施形態の基地局の他の概略構成を示すブロック図。
【図１０】第１の実施形態の移動局の他の概略構成を示すブロック図。
【図１１】第２の実施形態の基地局における不整合セルの特定方法を説明するための図。
【図１２】第２の実施形態の基地局における処理を示すフローチャート。
【図１３】第３の実施形態の基地局の概略構成を示すブロック図。
【図１４】第３の実施形態の移動局の概略構成を示すブロック図。
【図１５】第３の実施形態の移動通信システムの動作を示すフロー図。
【図１６】第３の実施形態の移動通信システムの動作を示すフロー図。
【図１７】第４の実施形態の移動通信システムの動作を示すフロー図。
【図１８】第４の実施形態の基地局における処理を示すフローチャート。
【発明を実施するための形態】
【００２１】
（１）第１の実施形態
（１−１）移動通信システム
本実施形態の移動通信システムでは、図１〜図３に示したように、互いに隣接する基地局Ａ，ＢによりそれぞれセルＡ，Ｂが形成されるセルラ方式のシステムである。
本実施形態のシステムにおいて、基地局は、移動局から通知されるセル選択履歴に関する情報に基づいて、ハンドオーバ元のセルとハンドオーバ先のセル（つまり自セル）のうち不整合セルを特定する。不整合セルは、前述したように、ハンドオーバ基準およびセル再選択基準によって画定されるカバレッジが一致していない状態のセルである。
【００２２】
（１−２）基地局および移動局の構成
次に、本実施形態の基地局および移動局の構成について、図４および図５を参照して説明する。図４は、基地局eNBの概略構成を示すブロック図である。図５は、移動局UEの概略構成を示すブロック図である。
【００２３】
先ず図４を参照すると、本実施形態の基地局eNBは、受信部１０と、送信部２０と、ハンドオーバ処理部３０と、セル再選択処理部４０と、不整合セル特定部５０と、最適化処理部６０とを備える。なお、受信部１０の一部と、送信部２０の一部と、ハンドオーバ処理部３０と、セル再選択処理部４０と、不整合セル特定部５０と、最適化処理部６０とは、ＤＳＰ(Digital Signal Processor)等のデジタル回路によって構成されうる。
【００２４】
受信部１０は、受信アンテナから受信した信号をダウンコンバートしてベースバンド信号に変換するとともにデジタル信号に変換する処理、受信データを復調および復号して、データを抽出する処理等を行う。
送信部２０は、送信対象のデータを無線リソースにマッピングして符号化および変調する処理、送信データをアナログ信号に変換するとともに無線信号にアップコンバートする処理、無線信号を増幅して送信アンテナへ送出する処理等を行う。
【００２５】
ハンドオーバ処理部３０は、自局とコネクションが確立されている各移動局から通知される、自局および隣接基地局から送信された参照信号の移動局における受信電力または受信品質の測定結果（Measurement report）に基づき、ハンドオーバ基準（ＨＯ基準）に従ってハンドオーバの要否を判断する。また、ハンドオーバ処理部３０は、ハンドオーバの処理が開始されると、受信部１０および送信部２０を介して、移動局およびハンドオーバ先の基地局（ターゲット基地局）との間でハンドオーバに関するメッセージの送受信を行う。
ハンドオーバ処理部３０は、受信部１０を介して移動局から受信するメッセージの中のセル選択履歴に関する情報を取得する。セル選択履歴については後述する。
【００２６】
セル再選択処理部４０は、送信部２０を介して所定の参照信号を間欠的にブロードキャスト（広報）するとともに、自局のセル再選択基準（ＣＲＳ基準）に基づくセル再選択パラメータを広報する。
不整合セル特定部５０は、ハンドオーバ処理部３０から各移動局のセル選択履歴に関する情報を取得し、不整合セルを特定する。不整合セル特定部５０は、ハンドオーバ元の隣接基地局のセルが不整合セルであると判断した場合にはハンドオーバ処理部３０に対して所定の通知を行う。その通知に応じて、ハンドオーバ処理部３０は、ハンドオーバ元の隣接基地局のセルが不整合セルであることを通知する隣接基地局宛のメッセージを生成する。不整合セル特定部５０は、自局のセルが不整合セルであると判断した場合には最適化処理部６０に対して所定の通知を行う。
【００２７】
最適化処理部６０は、自局のセルが不整合セルである場合に、ハンドオーバ基準およびセル再選択基準によって画定されるカバレッジが一致するように、ハンドオーバ基準またはセル再選択基準のパラメータを補正する処理（以下、「最適化」または「最適化処理」という。）を行う。最適化処理については後述する。
【００２８】
次に図５を参照すると、本実施形態の移動局UEは、受信部１５と、送信部２５と、ハンドオーバ処理部３５と、セル再選択処理部４５と、セル選択履歴記憶部７０とを備える。なお、受信部１５の一部と、送信部２５の一部と、ハンドオーバ処理部３５と、セル再選択処理部４５と、セル選択履歴記憶部７０は、ＤＳＰ(Digital Signal Processor)等のデジタル回路によって構成されうる。
【００２９】
受信部１５は、受信アンテナから受信した信号をダウンコンバートしてベースバンド信号に変換するとともにデジタル信号に変換する処理、受信データを復調および復号して、データを抽出する処理等を行う。
送信部２５は、送信対象のデータを無線リソースにマッピングして符号化および変調する処理、送信データをアナログ信号に変換するとともに無線信号にアップコンバートする処理、無線信号を増幅して送信アンテナへ送出する処理等を行う。
【００３０】
ハンドオーバ処理部３５は、自局がアクティブ状態であるときに、自局とコネクションが確立されている基地局およびその隣接基地局から送信された参照信号の自局における受信電力または受信品質を測定し、その測定結果（Measurement report）を、送信部２５を介して基地局へ送信する。また、ハンドオーバ処理部３５は、ハンドオーバの処理が開始されると、受信部１５および送信部２５を介して、ハンドオーバ元の基地局（ソース基地局）およびハンドオーバ先の基地局（ターゲット基地局）との間でハンドオーバに関するメッセージの送受信を行う。
ハンドオーバ処理部３０は、送信部２５を介して、セル選択履歴記憶部７０に格納されるセル選択履歴に関する情報を含むメッセージを基地局へ送信する。
【００３１】
セル再選択処理部４５は、受信部１５を介して基地局から広報される所定の参照信号をモニタして間欠的に受信するとともに、基地局から広報されるセル再選択パラメータの信号を受信する。また、セル再選択処理部４５は、自局がアイドル状態であるときに、基地局から取得したセル再選択パラメータに基づくセル再選択基準（ＣＲＳ基準）に従ってセルを選択する。
【００３２】
セル選択履歴記憶部７０は、セル再選択処理部４５およびハンドオーバ処理部３５からそれぞれ、自局がアイドル状態およびアクティブ状態であるときのセルの選択結果を逐次通知され、セル選択履歴として時系列順に記憶している。このセル選択履歴がハンドオーバ処理部３５により参照される。
【００３３】
（１−３）移動通信システムの動作
次に、移動局と、互いに隣接する基地局Ａ，Ｂとを含む移動通信システムの動作について、図６〜８を参照して説明する。図６は、基地局ＡのセルＡが不整合セルである場合の移動通信システムの動作を示すフロー図である。図７は、基地局ＢのセルＢが不整合セルである場合の移動通信システムの動作を示すフロー図である。図８は、セル選択履歴に応じた不整合セルの特定方法を説明するための図である。
【００３４】
（１−３−１）セルＡが不整合セルである場合
図６を参照すると、移動局はアイドル状態であり、セルＡを選択している。移動局のセル再選択処理部４５では、受信部１５を介して基地局Ａから広報される所定の参照信号をモニタして間欠的に受信するとともに（ステップＳ１）、基地局Ａから広報されるセル再選択パラメータの信号を受信している（ステップＳ２）。この時点で、基地局Ａはもとより基地局Ｂも、移動局とのコネクションが確立されていないので移動局がいずれのセルからの信号をモニタしているかについて認識することはできない。
【００３５】
次に、移動局がアイドル状態からアクティブ状態へ遷移し、基地局Ａとコネクションを確立した場合を想定する（ステップＳ４）。この場合、移動局では、ハンドオーバ処理部３５は、基地局Ａとの間で制御メッセージを送受信する。基地局Ａから移動局へ送信されるメッセージの中には、ハンドオーバに関するパラメータが含まれる（ステップＳ５）。このハンドオーバに関するパラメータの中にはハンドオーバ基準の閾値が含まれており、移動局は、以後、この閾値を基にハンドオーバ基準を満足する場合に、受信電力若しくは受信品質の測定結果（Measurement report）を基地局へ送信することになる。また、基地局Ａとコネクションが確立された後は、移動局と基地局との間の制御メッセージの授受によって移動局のセル選択動作を基地局が認識することができるようになる。
【００３６】
図６に示したケースでは、ステップＳ４のコネクション確立後直ちに、移動局Ａにおいて上記閾値を基にしたハンドオーバ基準を満足したため、基地局Ａおよびその隣接基地局である基地局Ｂからの参照信号の受信電力若しくは受信品質の測定結果を送信する（ステップＳ６）。この測定報告を受けた基地局Ａでは、ハンドオーバ処理部３０が移動先のセルが指定されているハンドオーバ指示メッセージ (HO Command Message)を生成し、このメッセージが移動局へ送信される（ステップＳ７）。移動局では、ハンドオーバ指示メッセージに応じて、ハンドオーバ処理部３５がハンドオーバ確認メッセージ(HO Confirm Message)を生成する。このハンドオーバ確認メッセージは、ハンドオーバ指示メッセージで指定されたセルＢの基地局Ｂへ送信される（ステップＳ８）。
【００３７】
本実施形態では、上記ハンドオーバ確認メッセージにセル選択履歴に関する情報が含まれる。前述したように、移動局では、セル選択履歴記憶部７０において、自局がアイドル状態およびアクティブ状態であるときのセルの選択結果が、セル選択履歴として時系列順に記憶されている。移動局のハンドオーバ処理部３５は、ハンドオーバ確認メッセージを生成するときにセル選択履歴記憶部７０に記憶されているセル選択履歴を参照する。
ハンドオーバ確認メッセージを受信した基地局Ｂでは、取得したセル選択履歴に基づいて不整合セル特定部５０が、セルＡまたはセルＢのいずれが不整合セルであるのかを特定する（ステップＳ９）。
【００３８】
この不整合セルの特定方法を、図８を参照して説明する。
図６に示したフロー図のように、アクティブ状態になりセルＡとコネクションを確立後、直ちにセルＢへハンドオーバするケースは、図８の（ａ）パターンＡと（ｂ）パターンＢの２通りが考えられる。なお、図８では、項番の昇順に時刻が経過しているものとする。
図８のパターンＡでは、アイドル状態でセルＡを選択している状態が長く（項番１）、アクティブ状態に遷移した後直ちに（項番２）、セルＢへハンドオーバした（項番３）場合を示している。この場合、移動局は、セルＡ⇒セルＡ⇒セルＢと連続して移動していることから、項番１から項番２におけるセルＡのセル再選択が不適切であり、セルＡからのセル再選択パラメータによって構成されるセル再選択基準が、ハンドオーバ基準と整合していなかったものと考えられる。よって、セルＡにおいてハンドオーバ基準とセル再選択基準が整合していないと判定することができる。
【００３９】
図８のパターンＢでは、アイドル状態でセルＢを選択している状態が長く（項番１）、次にセルＡを選択し（項番２）、アクティブ状態へ遷移した後直ちに（項番３）、セルＢへハンドオーバした（項番４）場合を示している。この場合、移動局は、セルＢ⇒セルＡ⇒セルＢと連続して移動していることから、項番１から項番２におけるセルＢからセルＡへのセル再選択が不適切であり、セルＢからのセル再選択パラメータによって構成されるセル再選択基準が、ハンドオーバ基準と整合していなかったものと考えられる。よって、セルＢにおいてハンドオーバ基準とセル再選択基準が整合していないと判定することができる。
なお、パターンＡまたはパターンＢに相当するか否かを判定するに当たって、セルにおける在圏時間の長さの閾値は適宜設定することができる。例えば、在圏時間の長さを「短い」とするための閾値は、１０秒以内としてもよい。
【００４０】
図６の説明に戻ると、ステップＳ９で不整合セルを特定した後、セルＡが不整合セルであった場合が想定される。この場合には、基地局Ｂから基地局Ａに対して送信される移動局のコンテキスト解放メッセージ内に、セルＡが不整合セルであることの通知が含まれる（ステップＳ１０）。
【００４１】
（１−３−２）セルＢが不整合セルである場合
図８（ｂ）に示したようにパターンＢの場合には、アイドル状態の移動局がセルＢを選択している状態が長いため、セルＢが不整合セルである場合の図７では、ステップＳ１およびＳ２において、基地局Ｂからの信号を受信している。図７において、ステップＳ４〜Ｓ９は、図６に示したものと同じである。図７では、ステップＳ９で不整合セルを特定した後、セルＢが不整合セルであった場合が想定される。この場合、基地局Ｂから基地局Ａに対して移動局のコンテキスト解放メッセージが送信されるが（ステップＳ１０）、このメッセージ内に、セルＢが不整合セルであることの通知を含まなくてよい。
【００４２】
上述したように、本実施形態の移動通信システムでは、アイドル状態の移動局のセルの選択履歴を基地局が取得するため、その選択履歴に基づいてセル再選択基準とハンドオーバ基準が整合していないセルを基地局が特定することができる。
また、移動局が、すべての場合においてアイドル状態中のセル選択履歴を基地局へフィードバックするのではなく、移動局が、基地局とコネクションを確立し、アクティブ状態へ遷移した直後にハンドオーバした場合に限り、セル選択履歴をフィードバックすることが好ましい。これにより、セル選択履歴のフィードバックに伴うメッセージ送受信の通信量を抑制することができる。
【００４３】
（１−４）基地局および移動局の他の構成
上述した不整合セルの特定処理は、図４および図５とは異なる構成の基地局および移動局によっても実現される。かかる基地局および移動局の構成例について、図９および図１０を参照して説明する。図９は、基地局eNBの概略構成を示すブロック図である。図１０は、移動局UEの概略構成を示すブロック図である。
【００４４】
先ず図９を参照すると、基地局は、ＮＷ(Network)インタフェース部１１０、パケット識別部１１１、パケットバッファ部１１２、ＰＤＵ生成部１１３、送信部１１４、デュプレクサ１１５、アンテナ１１６、受信部１１７、制御情報抽出部１１８、パケット生成部１１９、制御部１２０、および記憶部２１を備える。デュプレクサ１１５は、送信および受信でアンテナ１１６を共用するために設けられている。
【００４５】
図９において、ＮＷインタフェース部１１０は、上位装置や他の基地局との間でネットワークを通して通信を行うためのインタフェースであり、ネットワークからのパケットの受信およびネットワークへのパケット送信を行う。パケット識別部１１１は、ネットワークから受信した自局配下の移動局宛のパケットを識別し、パケットバッファ部１１２において移動局毎に設けられているパケットバッファに格納する。また、隣接する基地局からのメッセージ(パケット)を受信したときに、制御部１２０への転送も行う。
ＰＤＵ生成部１１３は、パケットを結合あるいは分解して、無線に送信するためのデータユニットに変換する。送信部１１４は、PDU化されたデータを、符号化および変調を行うとともに、アンテナ１１６を介して移動局宛にデータを送信する。
【００４６】
一方、受信部１１７は、移動局からのデータに対して復調および復号化を行う。制御情報抽出部１１８は、移動局からのデータがMeasurement Report等の制御情報の場合には、制御部１２０に転送する。移動局からのデータが、ネットワークに向けたデータである場合には、パケット生成部１１９に転送する。パケット生成部１１９は、移動局からのデータをパケットに変換し、ＮＷインタフェース部１１０に転送する。
【００４７】
制御部１２０は、送信部１１４や受信部１１７の制御および無線区間におけるスケジューリング処理を行う。また、送信部１１４や受信部１１７から無線リソースの負荷率の算出も行う。負荷率は、基地局の処理能力の上限値に対する処理量を示す指標である。処理量の算出方法は特に問わないが、例えば、制御部１２０で処理されているリソースブロック、パケット数（PDUの数）の単位時間当たりの量、或いは所定時間のサンプルを平均化した量を測定する方法、又はスループットを測定する方法などを採ることができる。
【００４８】
制御部１２０は、算出した自局の負荷率から所定の判定基準（閾値）に基づき、自局の負荷を調整する（例えば、低減させる）場合には、隣接する基地局宛のMeasurement Report設定更新リクエストを生成する。このMeasurement Report設定更新リクエストは、パケット生成部１１９へ与えられる。制御部１２０は、パケット識別部１１から隣接する基地局からのMeasurement Report設定更新レスポンスを受信する。そして、制御部１２０は、Measurement Report設定を変更する場合、パケットバッファ部１１２に対し、新しいMeasurement Report設定を含んだRRC Connection Reconfigurationを与える。
一方、制御部１２０は、パケット識別部１１１から隣接する基地局からのMeasurement Report設定更新リクエストを受信した場合、基地局の負荷率を算出し、その算出結果に基づきMeasurement Report設定更新レスポンスを生成して、パケット生成部１１９に与える。
記憶部１２１は、算出した負荷率や、Measurement Reportのパラメータの値等を記憶する。
【００４９】
次に図１０を参照すると、移動局は、パケット生成部１３１、ＰＤＵ生成部１３２、送信部１３３、デュプレクサ１３４、アンテナ１３５、受信部１３６、制御情報抽出部１３７、参照信号抽出部１３８、測定部１３９、制御部１４０、および記憶部１４１を備える。なお、図１０の移動局の構成において、パケット生成部１３１、ＰＤＵ生成部１３２、送信部１３３、デュプレクサ１３４、アンテナ１３５、受信部１３６は、機能上の観点では上述した基地局の対応する各部と同一であり、以下では重複説明は行わない。
【００５０】
図１０において、参照信号抽出部１３８は、基地局からの受信信号から既知の参照信号を抽出する。測定部１３９は、抽出された参照信号の受信電力あるいは受信品質を測定する。
制御部１４０は、基地局からMeasurement Reportの設定情報を含むRRC Connection Reconfigurationメッセージを受信部１３６を介して取得し、Measurement Reportの設定情報を記憶部１４１に記憶させる。また、制御部１４０は、取得したMeasurement Reportの設定情報のパラメータ値に基づいて、測定部１３９で測定された受信電力あるいは受信品質が所定の条件式を満足するか否かを判断する。その結果、制御部１４０は、前述したMeasurement Reportの送信条件を満たす場合に、基地局に対してMeasurement Reportメッセージを送信するように、パケット生成部１３１を制御する。
【００５１】
（２）第２の実施形態
次に、第２の実施形態について説明する。
第１の実施形態では、隣接する２つのセルのうち不整合セルを特定し、不整合セルを形成する基地局へ通知する方法について説明した。これにより、不整合セルを形成する基地局は、ハンドオーバ基準およびセル再選択基準によって画定されるカバレッジの不一致を修正するための処理を行いうる。しかしながら、上記カバレッジの不一致を修正するための処理を行う前に、自局のセルが不整合セルであることを、より確実に判定しておくことが好ましい。そこで、本実施形態では、個々の移動局のセル選択履歴のフィードバックを統計的に処理して、より確実に不整合セルを特定するための方法について説明する。
なお、本実施形態の基地局の構成は、図４に示したものと同様の構成でよい。
【００５２】
第１の実施形態では、隣接する２つのセルＡ、セルＢにおいて不整合セルを特定する方法について説明したが、あるセルに隣接するセルの数は１つに限らず複数存在しうる。このとき、セル再選択基準を構成するセル再選択パラメータ、および、ハンドオーバ基準を構成するハンドオーバ・パラメータは、あるセルに関して、移動先のセル毎に設けられている。つまり、セルＡに関して、移動元セルＡから移動先セルＢへのセル再選択パラメータ／ハンドオーバ・パラメータと、移動元セルＡから移動先セルＣへのセル再選択パラメータ／ハンドオーバ・パラメータは異なる。したがって、セルＡに関して、移動元セルＡから移動先セルＢへのセル再選択基準とハンドオーバ基準が整合していないからと言って、移動元セルＡから移動先セルＣへのセル再選択基準とハンドオーバ基準が整合していないとは限らない。そこで、以下の説明において、第１セルに関し、第１セルから第２セルへのセル再選択基準とハンドオーバ基準が整合していない場合に、「不整合（第１セル⇒第２セル）」と表記する。例えば図８において、（ａ）は「不整合（Ａ⇒Ｂ）」と判定され、（ｂ）は「不整合セル（Ｂ⇒Ａ）」と判定される。
【００５３】
本実施形態の基地局では、不整合セル特定部５０は、移動局から取得したセル選択履歴に基づいて不整合セルの判定を行い、最適化処理部６０は、不整合セル特定部５０による判定結果をカウントする。例えば図８の例では、不整合（Ａ⇒Ｂ）の数と、不整合（Ｂ⇒Ａ）の数とがカウントされる。
【００５４】
本実施形態の基地局では、不整合セルの判定結果を所定量または所定時間カウントした後に、統計処理を行って精度の高い不整合セルの特定を行う。この統計処理について、図１１を参照して説明する。図１１は、本実施形態の基地局における不整合セルの特定方法を説明するための図である。
【００５５】
図１１では一例として、セルＡ〜Ｃを含むページングエリアが示される。ページングエリア（Paging Area；呼び出しエリア）は、ページンググループ（Paging Group）とも呼称される。基地局は、アイドル状態の移動局（以下、「アイドル移動局」という。）のセル移動動作は認識できず、あるアイドル移動局がいずれのセルの配下にいるかについて把握していない。しかし、基地局は、あるアイドル移動局がいずれのページングエリアの配下にいるかについて把握している。これは、アイドル移動局は、ページングエリアを跨いで移動する場合には、基地局に対して位置登録を行うように通信仕様上規定されているためである。一方、ページングエリア内のセルを跨いで移動する場合には、アイドル移動局は、基地局に対して位置登録を行わない。このような処理によって、位置登録処理による消費電力を削減しつつ、あるアイドル移動局に着信があった場合、そのアイドル移動局が存在するページングエリア内の基地局が、着信メッセージ（ページングメッセージ）を広報することで、そのアイドル移動局へ着信を通知するようになっている。
【００５６】
上述したように、基地局は、あるアイドル移動局がいずれのページングエリアの配下にいるかについて把握しているため、ページングエリア内のアイドル移動局の総数を取得することができる。例えば基地局は、自局のセルが属するページングエリアを管理するＨＬＲ(Home Location Register)にアクセスしてアイドル移動局の総数を取得できる。図１１に示す例では、アイドル移動局の総数は、１０００台である。
【００５７】
基地局は、アクティブ状態の移動局（以下、「アクティブ移動局」という。）のハンドオーバ動作を把握しているので、各セルのアクティブ移動局の総数、および、ページングエリア内のアクティブ移動局の総数が分かっている。図１１に示す例では、セルＡ，セルＢ，セルＣのアクティブ移動局数は、それぞれ、１００台、１５０台、２５０台であり、ページングエリア内のアクティブ移動局の総数は、５００台である。このとき、アクティブ移動局の数に対する、アイドル移動局の数の比率（α）は２（＝１０００／５００）となる。
ここで、ページングエリア内のアイドル移動局の数のアクティブ移動局の数に対する比率がそのページングエリア内の各セル内においても当てはまると仮定すると、セルＡからセルＢへの一定期間におけるハンドオーバ数が分かれば、その期間のセル再選択数を推定することができる。例えば、図１１に示す例で、ある所定の期間中におけるセルＡからセルＢへのハンドオーバ数（ＨＯ数）が１０台であったとすると、セルＡからセルＢへのセル再選択数（Ａ⇒Ｂ）は、２０（＝１０×２（αの値））と推定される。
【００５８】
次に、図１２を参照して、本実施形態の基地局において行われる、不整合セルの特定方法を含む処理について説明する。図１２は、本実施形態の基地局における処理を示すフローチャートである。図１２に示すフロー図は、セル選択履歴を取得してからパラメータを最適化するまでの処理を含み、この処理は主として、基地局内の最適化処理部６０において行われる。
なお、以下では、図１２のフローチャートにおいて、第１セル、第２セルをそれぞれ、セルＡ、セルＢに対応付けた場合において、図１１に示した具体例における処理を参照しながら説明する。
【００５９】
図１２を参照すると先ず、最適化処理部６０は、ページングエリア内のアイドル移動局の総数（１０００台）と、アクティブ移動局の総数（５００台）から、アクティブ移動局の数に対する、アイドル移動局の数の比率（α）を算出する（ステップＳ１００）。図１１の例では、αは２（＝１０００／５００）となる。このαは長期間に亘る平均値として予め算出しておいてもよい。
次に最適化処理部６０は、所定の期間Ｔにおける第１セルから第２セルへのハンドオーバ数をカウントし、そのハンドオーバ数と上記の比率αから、第１セルから第２セルへのセル再選択数（図１２におけるセル再選択数（第１セル⇒第２セル））を推定する（ステップＳ１０１）。すなわち、ページングエリア内のアイドル移動局数とアクティブ移動局数の比率が、そのページングエリア内のセルにおけるアイドル移動局数とアクティブ移動局数の比率に等しいという仮定の下で、第１セルから第２セルへのセル再選択数を推定する。図１１の例では、セルＡからセルＢへのハンドオーバ数（ＨＯ数）が１０であるため、セル再選択数（Ａ⇒Ｂ）は、２０（＝１０×２（αの値））と推定される。
なお、セル再選択数は、第３の値の一例である。
【００６０】
最適化処理部６０は次に、不整合セル特定部５０が上記所定の期間Ｔの間にカウントした、例えば所定の期間における不整合セルの判定結果の数、すなわち、不整合（第１セル⇒第２セル）の数を、セル再選択数（第１セル⇒第２セル）で除算する。これにより、第１セルのセル不整合率（図１２におけるセル不整合率（第１セル⇒第２セル））を算出する（ステップＳ１０２）。このセル不整合率（第１セル⇒第２セル）は、上記所定の期間Ｔに第１セルおいて不整合が生じた比率を表している。例えば、図１１において、不整合（Ａ⇒Ｂ）の数が１５であるならば、不整合率（Ａ⇒Ｂ）が０．７５（＝１５÷２０）となる。
【００６１】
最適化処理部６０は次に、ステップＳ１０２で算出した第１セルの不整合率が所定の閾値よりも大きいと判断した場合には（ステップＳ１０３のＹＥＳ）、以下の処理を行う。すなわち、最適化処理部６０は、第１セルにおけるセル再選択基準（ＣＲＳ基準）とハンドオーバ基準（ＨＯ基準）が不整合である、つまり第１セルが不整合セルであると特定し（ステップＳ１０４）、第１セルにおける両基準の構成パラメータの最適化を行う（ステップＳ１０５）。ステップＳ１０３において、ステップＳ１０２で算出した第１セルの不整合率が所定の閾値以下であると判断された場合には、何も処理は行われない。
【００６２】
なお、図１１に示したハンドオーバ先のセルＢの基地局Ｂが図１２のフローチャートを実行するときには、第１セル、第２セルをそれぞれ、セルＡ、セルＢに対応付けた場合と、第１セル、第２セルをそれぞれ、セルＢ、セルＡに対応付けた場合の双方について行う。そのため、不整合（Ａ⇒Ｂ）の数（カウント数；第１の値）と、不整合（Ｂ⇒Ａ）の数（カウント数；第２の値）とに基づいて、ステップＳ１０３では、不整合率（Ａ⇒Ｂ）と不整合率（Ｂ⇒Ａ）の両方が所定の閾値よりも大きいか否か判断される。そして、ステップＳ１０４では、不整合率（Ａ⇒Ｂ）＞閾値を満足すればセルＡが不整合セルとして特定され、不整合率（Ｂ⇒Ａ）＞閾値を満足すればセルＢが不整合セルとして特定される。ステップＳ１０５における最適化処理は、セルＡを不整合セルとして特定したときの基地局Ａへの通知、および、セルＢを不整合セルとして特定したときの自局における最適化処理の両方を含む。
なお、上記では、ハンドオーバ先のセルがセルＢである場合について述べてきたが、当然ながらハンドオーバ先のセルがセルＡである場合についても同様である。つまり、セルＡの基地局Ａも同様に、所定の期間ＴにおけるセルＢからセルＡへのハンドオーバ数のカウント値に基づいて、図１２に示した処理と同様の処理を行う。
【００６３】
また、隣接するセルＡおよびセルＢでは、移動局のハンドオーバが相互に行われており、各セルの基地局で得られる不整合のカウント数の情報を共有することで、セルＡおよびセルＢの基地局が協働して図１２の処理を行うこともできる。かかる方法では、隣接セルの一方のセルの基地局は、隣接セルの他方のセルの基地局からの情報に基づいて不整合のカウントを行うようにすることができる。
例えば、図１１に示したハンドオーバ先のセルＢの基地局Ｂが図１２のフローチャートを実行するときには、第１セル、第２セルをそれぞれ、セルＢ、セルＡに対応付けた場合について行い、図１１に示したハンドオーバ元のセルＡの基地局Ａが図１２のフローチャートを実行するときには、第１セル、第２セルをそれぞれ、セルＡ、セルＢに対応付けた場合について行ってよい。この場合、基地局Ｂは、不整合（Ｂ⇒Ａ）のカウントを行い、移動局から取得したセル選択履歴に基づいた不整合セルの判定が不整合（Ａ⇒Ｂ）（つまり、セルＡが不整合セル）であるときに、基地局Ａへ不整合（Ａ⇒Ｂ）の判定が行われたことを通知する。基地局Ａは、その通知に基づき不整合（Ａ⇒Ｂ）のカウントを行う。以降の基地局Ｂ及び基地局Ａにおける不整合率の算出、不整合率と閾値との比較、最適化処理は上述と同様の処理を行う。
【００６４】
図１２のフローチャートにおいて、ステップＳ１０５の最適化処理は、以下のようにして行われる。例えば第１セルとしてのセルＡの基地局Ａが自セルの最適化を行う場合には、基地局Ａは先ず、セル再選択パラメータまたはハンドオーバ・パラメータを所定量、移動局のセルＡからセルＢへの移動が促進される方向あるいは抑制される方向へ変更する。基地局Ａは、上記所定量のパラメータの変化による、不整合率（Ａ⇒Ｂ）を算出する。そして、不整合率がパラメータの変更前と比べて低下しているがステップＳ１０３の閾値を未だ超えている場合には、さらに所定量、パラメータを変更する。このような漸次的なパラメータの変更によって不整合率が閾値以下となった場合には、基地局Ａは、パラメータの変更を停止し、変更後のセル再選択パラメータを広報するか、あるいは変更後のハンドオーバ・パラメータを移動局へ送信する。
【００６５】
以上説明したように、本実施形態の移動通信システムでは、基地局は、一定期間におけるセル間の複数の移動局のセル再選択数と、その間に不整合セルと判定した回数とに基づいて最終的に不整合セルを特定する。そのため、移動通信システムにおいて、精度良く不整合セルを特定することができる。
【００６６】
（３）第３の実施形態
次に、第３の実施形態について説明する。
【００６７】
（３−１）移動通信システム
第１および第２の実施形態の移動通信システムでは、アイドル状態の移動局のセルの選択履歴を基地局が取得し、その選択履歴に基づいてセル再選択基準とハンドオーバ基準が整合していないセルを基地局が特定するようにした。しかしながら、移動局がセルの選択履歴に基づいて自らセル再選択基準とハンドオーバ基準が整合していないセルを特定し、そのセルの基地局へ通知するようにしてもよい。
【００６８】
（３−２）基地局および移動局の構成
本実施形態の基地局および移動局の構成について、図１３および図１４を参照して説明する。図１３は、基地局eNBの概略構成を示すブロック図である。図１４は、移動局UEの概略構成を示すブロック図である。
図１３に示す基地局の構成は、不整合セル特定部５０が無い点で、図４に示した構成と異なる。本実施形態では、基地局が移動局から受信したハンドオーバのメッセージの中に不整合セルの特定結果が含まれているため、ハンドオーバ処理部３０がその特定結果を抽出して最適化処理部６０へ通知する。
一方、図１４に示す移動局の構成は、不整合セル特定部５５が追加された点で、図５に示した構成と異なる。本実施形態の移動局は、第１または第２の実施形態で述べた方法と同様の方法で不整合セル特定部５５が不整合セルを特定し、ハンドオーバ処理部３５へ通知する。ハンドオーバ処理部３５は、不整合セルの情報を含むハンドオーバのメッセージを生成し、そのメッセージを送信部２５を介して基地局へ送信する。
【００６９】
（３−３）移動通信システムの動作
次に、移動局と、互いに隣接する基地局Ａ，Ｂとを含む移動通信システムの動作について、図１５および図１６を参照して説明する。図１５は、基地局ＡのセルＡが不整合セルである場合の移動通信システムの動作を示すフロー図である。図１６は、基地局ＢのセルＢが不整合セルである場合の移動通信システムの動作を示すフロー図である。
【００７０】
（３−３−１）セルＡが不整合セルである場合
図１５において、ステップＳ１〜Ｓ７は図６と同一であるため、重複説明は行わない。
ステップＳ７に続くステップＳ２０において、移動局は不整合セルを特定する。ここでは、不整合セルの特定方法は、第１または第２の実施形態で説明した方法が適用されうる。このとき、移動局では、セル選択履歴記憶部７０において、自局がアイドル状態およびアクティブ状態であるときのセルの選択結果が、セル選択履歴として時系列順に記憶されている。移動局の不整合セル特定部５５は、セル選択履歴を参照してセルＡまたはセルＢのいずれが不整合セルであるのかを特定する。
【００７１】
移動局のハンドオーバ処理部３５がハンドオーバ確認メッセージ(HO Confirm Message)を生成し、このメッセージをハンドオーバ指示メッセージで指定されたセルＢの基地局Ｂへ送信する点は、第１の実施形態（図６のステップＳ８）と同様である。本実施形態では、ステップＳ１１において、ハンドオーバ確認メッセージの中に、ステップＳ２０で特定した不整合セルの情報を含ませる点が、第１の実施形態とは異なる。
図１５のフローチャートでは、セルＡが不整合セルであった場合が想定されている。そして、ハンドオーバ確認メッセージを受けた基地局Ｂが基地局Ａに対し、セルＡが不整合セルであることの通知を含むコンテキスト解放メッセージを送信する点は、第１の実施形態と同じである。
【００７２】
（３−３−２）セルＢが不整合セルである場合
図１６において、ステップＳ１〜Ｓ１１は図１５と同一であるため、重複説明は行わない。
図１６のフローチャートでは、セルＢが不整合セルであった場合が想定されている。この場合、基地局Ｂから基地局Ａに対して移動局のコンテキスト解放メッセージが送信されるが（ステップＳ１２）、このメッセージ内に、セルＢが不整合セルであることの通知を含まなくてよい点は、第１の実施形態と同じである。
【００７３】
上述したように、本実施形態の移動通信システムでは、移動局がアイドル状態の期間も含む自局のセルの選択履歴を記憶しているため、自ら不整合セルを特定することができる。
また、移動局が、すべての場合において不整合セルを基地局へフィードバックするのではなく、移動局が、基地局とコネクションを確立し、アクティブ状態へ遷移した直後にハンドオーバした場合に限り、不整合セルをフィードバックすることが好ましい。これにより、不整合セルのフィードバックに伴うメッセージ送受信の通信量を抑制することができる。
【００７４】
（４）第４の実施形態
以下、第４の実施形態について説明する。
本実施形態の移動通信システムでは、不整合セルの特定方法が上述した各実施形態とは異なる。具体的には、図１２に示したフローチャートにおいて、不整合率を算出するまでの方法（ステップＳ１００〜Ｓ１０２）が異なる。すなわち、本実施形態では、基地局は、不整合率（第１セル⇒第２セル）を算出するに当たって、セル再選択数（第１セル⇒第２セル）を推定するのではなく自らカウントする点が異なる。
なお、本実施形態における基地局、移動局の構成はそれぞれ、図４、図５に示したものと同一でよく、以下の説明では、図４または図５に示した構成要素が適宜参照される。
【００７５】
次に、移動局と、互いに隣接する基地局Ａ，Ｂとを含む移動通信システムの本実施形態の動作について、図１７を参照して説明する。図１７は、本実施形態の移動通信システムの動作を示すフロー図である。
【００７６】
図１７において、ステップＳ１〜Ｓ１０では、セルＡが不整合セルである場合が想定されており、図６と同一であるので重複説明を省略する。本実施形態では、前述した実施形態で説明されたように不整合セルを特定し、不整合セルを形成する基地局へ通知する点では、前述した各実施形態と同一である。本実施形態が前述する各実施形態と異なるのは、移動局から逐次取得するセル選択履歴に基づいて、例えば一定期間に特定のセルが不整合であると判定した数（不整合セルのカウント数）が閾値を超えた場合に、移動局からセル選択履歴を報告させる点にある。図１７では、移動局１の処理によって、例えば一定期間内の不整合セルのカウント数が閾値を超え、それ以降では、移動局（図１７では移動局２）からセル選択履歴を報告させる場合の例を示している。
【００７７】
図１７を参照すると、移動局２はステップＳ２１の時点でアイドル状態であり、セルＡを選択している。移動局のセル再選択処理部４５では、受信部１５を介して基地局Ａから広報される所定の参照信号をモニタして間欠的に受信するとともに、基地局Ａから広報されるセル再選択パラメータの信号を受信する（ステップＳ２２）。この時点で、基地局Ａはもとより基地局Ｂも、移動局とのコネクションが確立されていないので移動局がいずれのセルからの信号をモニタしているかについて認識することはできない。
【００７８】
次に基地局Ａは、移動局２を含む配下の移動局宛てに、セル選択履歴を報告することを指示するセル選択履歴報告指示メッセージを広報する（ステップＳ２３）。
図１７のフロー図では、基地局Ａが広報したセル再選択パラメータによって構成されるセル再選択基準に従って、セルＢをセル再選択する場合が想定される。その結果、基地局Ｂからの信号を間欠的にモニタするとともに（ステップＳ２４）、基地局Ｂから広報されるセル再選択パラメータの信号を受信する（ステップＳ２５）。その後、移動局２はアクティブ状態へ遷移し、基地局Ｂとコネクションを確立する（ステップＳ２６）。このとき、移動局２は、基地局Ｂとのコネクションを確立するときに送信するメッセージの中に、ステップＳ２３のセル選択履歴報告指示メッセージに応じたセル選択履歴を含ませるようにすることで、セル選択履歴を基地局Ｂへ報告する（ステップＳ２６）。基地局Ｂは、移動局２から報告されたセル選択履歴を、基地局間の回線によって基地局Ａに通知する（ステップＳ２７）。
【００７９】
以上の処理を行うことで、例えば一定期間に特定のセルが不整合であると判定した数（不整合セルのカウント数）が閾値を超えたことをトリガとして、基地局は、配下の移動局にセル選択履歴を報告させ、そのセル選択履歴が隣接する複数の基地局間で共有化される。
【００８０】
次に、図１８を参照して、本実施形態の基地局において行われる、不整合セルの特定方法を含む処理について説明する。図１８は、本実施形態の基地局における処理を示すフローチャートである。図１８に示すフロー図は、セル選択履歴を取得してからパラメータを最適化するまでの処理を含み、この処理は主として、基地局内の最適化処理部６０において行われる。
【００８１】
図１８において、最適化処理部６０は、所定の期間Ｔ毎に、不整合セル特定部５０が所定の期間Ｔの間にカウントした、例えば所定の期間における不整合セルの判定結果の数、すなわち、不整合（第１セル⇒第２セル）の数が閾値を超えたか判定する（ステップＳ１００ａ）。不整合（第１セル⇒第２セル）の数が閾値を超えた場合には、自局の配下の移動局に対して、セル選択履歴を報告することを指示するセル選択履歴報告指示メッセージを送信する（ステップＳ１００ｂ）。最適化処理部６０は、所定の期間Ｔの間に、ステップＳ１００ｂに応じて移動局から報告されるセル選択履歴に基づいて、第１セルから第２セルへのセル再選択数、つまりセル再選択数（第１セル⇒第２セル）をカウントする（ステップＳ１００ｃ）。
セル再選択数（第１セル⇒第２セル）を算出した後の処理（ステップＳ１０２〜Ｓ１０５）は、図１２に示した処理と同じであるため、重複説明を省略する。
【００８２】
図１２に示したセル再選択数（第１セル⇒第２セル）の算出は、ページングエリア内のアイドル移動局の総数とアクティブ移動局の総数とに基づく推定値であったが、本実施形態では、セル再選択数を実測値としている。そのため、本実施形態では、図１２に示した方法よりもセル再選択数の算出精度が高く、不整合率（第１セル⇒第２セル）の判定精度（ステップＳ１０３における判定精度）も高くなるという利点がある。
また、図１８に示したフローチャートによれば、不整合（第１セル⇒第２セル）の数が閾値を超えた場合にのみ、移動局から基地局に対してセル選択履歴が報告されるため、セル選択履歴のフィードバックに伴うメッセージ送受信の通信量を抑制することができる。
【００８３】
以上、本発明の実施形態について詳細に説明したが、本発明のセル特定方法、基地局、移動局は上記実施形態に限定されず、本発明の主旨を逸脱しない範囲において、種々の改良や変更をしてもよいのはもちろんである。
【符号の説明】
【００８４】
（基地局）
１０  受信部
２０  送信部
３０  ハンドオーバ処理部
４０  セル再選択処理部
５０  不整合セル特定部
６０  最適化処理部
（移動局）
１５  受信部
２５  送信部
３５  ハンドオーバ処理部
４５  セル再選択処理部
５５  不整合セル特定部
７０  セル選択履歴記憶部
【図１】
2012059954.tif 000003
【図２】
2012059954.tif 000004
【図３】
2012059954.tif 000005
【図４】
2012059954.tif 000006
【図５】
2012059954.tif 000007
【図６】
2012059954.tif 000008
【図７】
2012059954.tif 000009
【図８】
2012059954.tif 000010
【図９】
2012059954.tif 000011
【図１０】
2012059954.tif 000012
【図１１】
2012059954.tif 000013
【図１２】
2012059954.tif 000014
【図１３】
2012059954.tif 000015
【図１４】
2012059954.tif 000016
【図１５】
2012059954.tif 000017
【図１６】
2012059954.tif 000018
【図１７】
2012059954.tif 000019
【図１８】
2012059954.tif 000020
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
移動局とセルを形成する基地局とを含み、移動局が基地局とコネクションが確立されていない第１状態と、いずれかの基地局とコネクションが確立されている第２状態とで動作するセルラ方式の移動通信システムにおけるセル特定方法であって、
移動局は、第１状態においてセル再選択のための第１基準に従って行われるセルの選択履歴を含むセル選択履歴を記憶し、
移動局は、第２状態においてハンドオーバのための第２基準に従って第１セルから第２セルへハンドオーバする場合に、前記セル選択履歴を第２セルの基地局へ送信し、
前記第２セルの基地局は、送信された前記セル選択履歴を参照し、前記移動局が第１状態から第２状態へ遷移後の所定期間内に第１セルから第２セルへハンドオーバされたと判断した場合に、前記セル選択履歴に基づいて、第１セルおよび第２セルのうち前記第１基準と前記第２基準が整合していないセルを特定する、
ことを含むセル特定方法。
【請求項２】
移動局とセルを形成する基地局とを含み、移動局が基地局とコネクションが確立されていない第１状態と、いずれかの基地局とコネクションが確立されている第２状態とで動作するセルラ方式の移動通信システムにおけるセル特定方法であって、
移動局は、第１状態においてセル再選択のための第１基準に従って行われるセルの選択履歴を含むセル選択履歴を記憶し、
移動局は、第２状態においてハンドオーバのための第２基準に従って第１セルから第２セルへハンドオーバする場合に、前記セル選択履歴を参照し、前記移動局が第１状態から第２状態へ遷移後の所定期間内に第１セルから第２セルへハンドオーバされたと判断した場合に、前記セル選択履歴に基づいて、第１セルおよび第２セルのうち前記第１基準と前記第２基準が整合していないセルを特定し、
移動局は、特定したセルを第２セルの基地局へ通知する、
ことを含むセル特定方法。
【請求項３】
前記基地局は、
所定期間の間に、第１セルおよび第２セルのうち前記第１基準と前記第２基準が整合していないセルとして第１セルを特定した回数である第１の値、または、第２セルを特定した回数である第２の値、を算出し、
前記所定期間の間に、第１セルから第２セルへ移動した第１状態の移動局の数または、第２セルから第１セルへ移動した第１状態の移動局の数である第３の値を算出し、
前記第３の値に対する前記第１の値または前記第２の値の比率に基づいて、第１セルおよび第２セルのうち、特定前記所定期間の間に前記第１基準と前記第２基準が整合していないセルを特定する、
ことをさらに含む、請求項１に記載されたセル特定方法。
【請求項４】
前記基地局は、
自局を含むページングエリア内における第１状態の移動局の総数と第２状態の移動局の総数の比率と、前記所定期間の間に第１セルから第２セルへハンドオーバした移動局の数、または、第２セルから第１セルへハンドオーバした移動局の数、とに基づいて、前記第３の値を算出する、
請求項３に記載されたセル特定方法。
【請求項５】
前記基地局は、
前記第１の値または前記第２の値が所定の閾値を超える場合に、自局の配下の移動局に対して、前記セル選択履歴を自局宛に送信するように指示し、
前記所定期間の値に移動局から受信したセル選択履歴に基づいて、前記第３の値を算出する、
請求項３に記載されたセル特定方法。
【請求項６】
移動局が基地局とコネクションが確立されていない第１状態と、いずれかの基地局とコネクションが確立されている第２状態とで動作するセルラ方式の移動通信システムにおける基地局であって、
第１状態においてセル再選択のための第１基準に従って行われる移動局によるセルの選択履歴を含むセル選択履歴を、当該移動局が第２状態においてハンドオーバのための第２基準に従って第１セルから自局の第２セルへハンドオーバする場合に、移動局から前記セル選択履歴を受信する受信部と、
受信部により受信された前記セル選択履歴を参照し、前記移動局が第１状態から第２状態へ遷移後の所定期間内に第１セルから第２セルへハンドオーバされたと判断した場合に、前記セル選択履歴に基づいて、第１セルおよび第２セルのうち前記第１基準と前記第２基準が整合していないセルを特定する特定部と、
備えた基地局。
【請求項７】
前記特定部は、
所定期間の間に、第１セルおよび第２セルのうち前記第１基準と前記第２基準が整合していないセルとして第１セルを特定した回数である第１の値、または、第２セルを特定した回数である第２の値、を算出し、
前記所定期間の間に、第１セルから第２セルへ移動した第１状態の移動局の数または、第２セルから第１セルへ移動した第１状態の移動局の数である第３の値を算出し、
前記第３の値に対する前記第１の値または前記第２の値の比率に基づいて、第１セルおよび第２セルのうち、特定前記所定期間の間に前記第１基準と前記第２基準が整合していないセルを特定する、
請求項６に記載された基地局。
【請求項８】
前記特定部は、
自局を含むページングエリア内における第１状態の移動局の総数と第２状態の移動局の総数の比率と、前記所定期間の間に第１セルから第２セルへハンドオーバした移動局の数、または、第２セルから第１セルへハンドオーバした移動局の数、とに基づいて、前記第３の値を算出する、
請求項７に記載された基地局。
【請求項９】
前記特定部は、
前記第１の値または前記第２の値が所定の閾値を超える場合に、自局の配下の移動局に対して、前記セル選択履歴を自局宛に送信するように指示し、
前記所定期間の値に移動局から受信したセル選択履歴に基づいて、前記第３の値を算出する、
請求項７に記載された基地局。
【国際調査報告】
2012059954.tif 000021
2012059954.tif 000022